(57)【要約】【課題】浴槽側および洗い場側で使用する物品を効率良く収納できる浴室用パーティションを提供する。【解決手段】浴室壁２ａに固設されたポール部材６，７ａ，７ｂ，７ｃに支持されて浴槽４側と洗い場３側の境にパーティション板１１が立設され、このパーティション板１１には、洗い場３側の面と浴槽４側の面のそれぞれに物品収納具１２，１３を取り付けるダボ１４，１４が設けられている。【選択図】図１
2012157594.tif 000002
【特許請求の範囲】
【請求項１】
浴槽側と洗い場側の境にパーティション板が立設され、該パーティション板には、前記洗い場側の面と前記浴槽側の面のそれぞれに物品収納具を取り付けるダボが設けられていることを特徴とする浴室用パーティション。
【請求項２】
前記パーティション板の洗い場側面および浴槽側面には、同じ位置に上下に間隔をおいて複数のダボが突出されていることを特徴とする請求項１に記載の浴室用パーティション。
【発明の詳細な説明】
【技術分野】
【０００１】
本発明は、浴室用パーティションに関するものである。
【背景技術】
【０００２】
従来、特許文献１に開示されているように、浴槽側と洗い場側の境の浴槽のフランジ上面に、起立状に仕切り部材を立設させた浴室用パーティションがある。
【先行技術文献】
【特許文献】
【０００３】
【特許文献１】特開２００５−１９２９４１号公報
【発明の概要】
【発明が解決しようとする課題】
【０００４】
上記特許文献１に開示されている浴室用パーティションでは、浴槽側と洗い場側を単に仕切るだけのものであり、物品を収納できる機能はなく、空間を有効利用することはできないものであった。
【課題を解決するための手段】
【０００５】
本発明は、浴槽側で使用する物品と、洗い場側で使用する物品を効率良く収納できる機能を備えた浴室用パーティションの提供を目的とし、この目的の少なくとも一部を達成するために以下の手段を採った。
本発明の浴室用パーティションは、浴槽側と洗い場側の境にパーティション板が立設され、該パーティション板には、前記洗い場側の面と前記浴槽側の面のそれぞれに物品収納具を取り付けるダボが設けられていることを要旨とする。
【発明の効果】
【０００６】
本発明のパーティション板には、洗い場側の面と浴槽側の面のそれぞれにダボが設けられているため、ダボに物品収納具を引掛け状に取り付けることができ、浴槽側の物品収納具には、浴槽に浸かってくつろぐ時用のペットボトルや乾いたタオル等を収納しておくことができ、また、洗い場側の物品収納具には、シャンプーやリンスなど身体を洗う時に使用する物品等を収納しておくことができ、浴槽側と洗い場側のそれぞれの空間で使用する物品を効率良く収納できるものとなる。また、パーティション板で区切られていることにより、洗い場側でシャワーを使用しても浴槽側の物品収納具には水がかかりにくく、濡らしたくない本等の物品を浴槽側に収納するのに適している。
【０００７】
また、本発明の浴室用パーティションにおいて、前記パーティション板の洗い場側面および浴槽側面には、同じ位置に上下に間隔をおいて複数のダボが突出されているものとすることもできる。
こうすれば、突出されたダボに物品収納具を引掛け状に取り付けることができ、また、ダボには直接ボディブラシ等を引掛けて掛止させることもできる。
また、ダボは上下方向に複数形成されているため、高さ位置の異なるダボを選択して物品収納具等を引掛けて取り付けることができ、濡らしたくない物品を収納する際には、上方側のダボに物品収納具等を取り付けることができる。
なお、ダボは、洗い場側と浴槽側においてそれぞれ同じ高さ位置に設けられているため、パーティション板が透明である場合においても、各ダボの裏面は隠されることとなり、ダボは正面のみが視認され、良好な意匠性が確保される。
【図面の簡単な説明】
【０００８】
【図１】浴室内に設置されたパーティション板の設置状態の斜視構成図である。
【図２】パーティション板の拡大斜視構成図である。
【図３】パーティション板の正面拡大構成図である。
【図４】パーティション板の洗い場側には浅型バスケットを設け、浴槽側には深型バスケットを設けた場合の斜視構成図である。
【図５】図４の正面構成図である。
【図６】図４の側面構成図である。
【図７】浅型バスケットの斜視構成図である。
【図８】浅型バスケットの底板と樹脂玉を取り除いたフレーム構造を示す斜視図である。
【図９】深型バスケットの斜視構成図である。
【図１０】浅型バスケットと深型バスケットをそれぞれダボに取り付けた状態の側面拡大構成図である。
【図１１】バスケットは、下から手が当たっただけでは外れないことを示す説明図である。
【図１２】バスケットは、片側のダボを軸として回転させることにより、取り外せることを示す説明図である。
【発明を実施するための形態】
【０００９】
次に、本発明を実施するための形態を実施例を用いて説明する。
図１は、浴室内に設置されたパーティション板の斜視構成図である。
浴室１は、交差する壁パネル２ａ，２ｂの内側に浴槽４が設置され、浴槽４のエプロン４ａ側には洗い場３が形成されている。この洗い場３側の壁パネル２ａには鏡５が取り付けられており、鏡５の浴槽４側にパーティション板１１が立設状に配置されて、このパーティション板１１により浴槽４側と洗い場３側が仕切られている。
【００１０】
このパーティション板１１は、透明あるいは半透明のポリカーボネートやアクリル等で構成されたものであり、図２の斜視図において、また図３の正面図で示すように、上下の支持ポール７ａ，７ｂ間に固定状に立設されて、洗い場３側の面および浴槽４側の面には複数のダボ１４，１４が突出されており、このダボ１４に掛止状に浅型バスケット１２あるいは深型バスケット１３を取り付けることができるように構成されている。
パーティション板１１は、支持ポール７ａ，７ｂにそれぞれ固設された断面略コの字状の金具１０，１０内に嵌め込まれて固定されており、また、壁パネル２ａ側には縦方向にレール９が固設されており、このレール９にパーティション板１１の端縁部が嵌め込まれて固定されている。
【００１１】
支持ポール７ａ，７ｂは、縦方向に長い縦ポール６から水平に突出されたものであり、縦ポール６には、更に支持ポール７ｂの下方にも水平に突出して支持ポール７ｃが形成されている。
この縦ポール６から上下に間隔をおいて突出する３本の支持ポール７ａ，７ｂ，７ｃの先端側には、それぞれ固定部８ａ，８ｂ，８ｃが設けられており、この固定部８ａ，８ｂ，８ｃを壁パネル２ａにビス等を用いて取り付け固定することで、縦ポール６および３本の支持ポール７ａ，７ｂ，７ｃは壁パネル２ａに固定される。
なお、縦ポール６の上端にはキャップ６ａが設けられ、このキャップ６ａを上下方向に位置合わせして、キャップ６ａを浴室１の天井面に当接させ、天井面との隙間を埋めることにより、意匠性を高めることができるものである。
【００１２】
この縦ポール６には、上下方向にスライドできるようにスライドフック２３が取り付けられ、このスライドフック２３には、ハンドシャワー２２を掛止して使用することができるものである。
ハンドシャワー２２に接続されたシャワーホース２１は、壁パネル２ａの鏡５の下方に設置された水栓１７に接続されている。また、この水栓１７と鏡５との間には、棚籠１６が設けられており、この棚籠１６は鏡５の下端に引掛けて取り付けられたものである。
また、水栓１７の下方には、配管ボックス１８が設置されており、この配管ボックス１８は、壁パネル２ａと浴槽のエプロン４ａに固定されて、内部に配管を通すことができ、良好に内部の配管を隠蔽させることができるものである。
【００１３】
この配管ボックス１８の上面には、水切り籠１９が設置されており、この水切り籠１９上には石鹸等を載せて良好に水切りを行うことができるものであるが、この水切り籠１９は、ひっくり返すことで、上面が開放された収納ボックスとしても使用できる。
また、配管ボックス１８の下方の壁パネル２ａには、足元を照らす足元照明２０が設置されている。
なお、縦ポール６，支持ポール７ａ，７ｂ，７ｃおよび浅型バスケット１２，深型バスケット１３，棚籠１６，水切り籠１９等はステンレス製である。
【００１４】
なお、パーティション板１１は、前述した如く、支持ポール７ａ，７ｂにそれぞれ固設された金具１０，１０に挟まれ、かつ壁パネル２ａに固設されたレール９に嵌め込んで、強固に支持されており、パーティション板１１の洗い場３側の面および浴槽４側の面には、それぞれダボ１４，１４が突出されているが、このダボ１４は、横並びの一対のダボ１４，１４が上下に間隔をおいて２個所に突出されており、この横並び一対のダボ１４，１４に浅型バスケット１２あるいは深型バスケット１３を掛止して取り付けることができる。
図４では、パーティション板１１の上方のダボ１４，１４の洗い場３側の面に浅型バスケット１２を取り付け、浴槽４側の面には深型バスケット１３を取り付けた場合を例示している。
【００１５】
なお、図５は、図４の正面図であり、図６は、図４の側面図である。
即ち、ダボ１４は、洗い場３側の面と浴槽４側の面の同じ高さ位置にそれぞれ表裏に突出して形成されており、洗い場３側の面と浴槽４側の面の同じ高さ位置に浅型バスケット１２と深型バスケット１３をそれぞれダボ１４に引掛けて、同位置に設置することができるものである。
【００１６】
ダボ１４は、図１０の側面拡大図で示すように、突出方向中央部を凹ませて凹溝１４ａが形成され、ダボ１４は全体としてプーリーのような形状に形成されており、この中央部に凹ませた凹溝１４ａに、浅型バスケット１２あるいは深型バスケット１３を良好に掛止することができるものである。
なお、ダボ１４，１４は、洗い場３側と浴槽４側においてそれぞれ同じ高さ位置に設けられているため、パーティション板１１が透明である場合においても、各ダボ１４の裏面は隠されることとなり、ダボ１４は正面のみが視認され、良好な意匠性が確保されている。
【００１７】
さらに、洗い場３側と浴槽４側のダボ１４，１４は同じ高さ位置であるため、図１０のように、洗い場３側と浴槽４側にそれぞれ浅型バスケット１２と深型バスケット１３を配置させた時にも、各バスケット１２，１３は同じ高さ位置であるため、各バスケット１２，１３の裏側は隠されることとなり、各バスケット１２，１３の設置状態の意匠性も良好に確保されるものである。
なお、ダボ１４には、バスケット１２，１３を取り付ける他に、直接ボディブラシなどを引掛けて取り付けることができ、ボディブラシ等の紐をダボ１４に引掛けて良好にパーティション板１１に沿ってボディブラシ等を収納できるものである。
【００１８】
なお、図７は、浅型バスケット１２の斜視図を示し、図８は、底板と樹脂玉を取り外した状態の浅型バスケット１２のフレーム構造を示す。
図７および図８において、浅型バスケット１２は全体がステンレス製であり、長方形の枠状に形成した上枠フレーム１２ａと、下方の下枠フレーム１２ｂが配置され、引掛け片１２１の左右両端側から垂下状に垂下片１２２，１２２が形成され、各垂下片１２２の下端では、前方側へ略水平に延びる底片１２３，１２３がそれぞれ形成され、各底片１２３の前端では、上方へ立ち上がる立上片１２４が形成され、左右の立上片１２４，１２４の上端は水平片１２５で連結されている。
【００１９】
左右の垂下片１２２，１２２と左右の立上片１２４，１２４および水平片１２５に、それぞれ溶接等で前記上枠フレーム１２ａと下枠フレーム１２ｂが上下に間隔をおいて固定されており、下枠フレーム１２ｂ内には左右の底片１２３，１２３上にポリカーボネート製の底板１２ｃが嵌め込まれて設置され、また、ＡＢＳ製の樹脂玉１２ｄが下枠フレーム１２ｂの側面側および背面側に嵌め込まれて取り付けられている。
このように形成された浅型バスケット１２は、引掛け片１２１をダボ１４の凹溝１４ａに引掛けて、良好にダボ１４に取り付けることができるものであり、樹脂玉１２ｄがパーティション板１１に当接して傷付きが防がれるように構成されている。
【００２０】
また、図９には、深型バスケット１３の斜視図を示す。
この深型バスケット１３もステンレス製であり、長方形枠状に形成された上枠フレーム１３ａと下枠フレーム１３ｂが上下に広い間隔をおいて配置され、下枠フレーム１３ｂには、略コの字状に形成した３本の門型底片１３ｃ，１３ｃの左右端部がそれぞれ溶接で底側に固定されている。
【００２１】
また、引掛け片１３１の左右端から垂下する垂下片１３２の各下端には、前方側へ略水平状に底片１３３が形成され、各底片１３３の前端から上方へ立ち上げて左右の立上片１３４，１３４が形成され、左右の立上片１３４，１３４の上端間が水平片１３５で連結されている。この水平片１３５を上枠フレーム１３ａの内側に当接させて溶接等で固定することができ、また、左右の垂下片１３２，１３２と左右の立上片１３４，１３４に、それぞれ溶接等で上枠フレーム１３ａおよび下枠フレーム１３ｂが上下に間隔をおいて固定されたものである。
また、下枠フレーム１３ｂの左右側面および背面側にはＡＢＳ製の樹脂玉１３ｄ，１３ｄが取り付けられて構成されている。
この深型バスケット１３においても、引掛け片１３１をダボ１４，１４に引掛けて、着脱可能に深型バスケット１３をパーティション板１１に取り付けることができるものであり、樹脂玉１３ｄがパーティション板１１に当接して傷付きが防がれるものである。
【００２２】
なお、図１のように、上方側に浅型バスケット１２を配置し、下方側に深型バスケット１３を配置したような場合には、浅型バスケット１２内に濡らしたくない物、例えばメガネや乾いたタオル等を収納させることができ、下方の深型バスケット１３には、シャンプーやリンスなどを収納させることができるものである。
なお、浅型バスケット１２および深型バスケット１３は、下から手が当たっただけでは、図１１のような状態となるだけで、外れず、落下しにくい構造になっており、取り外す際は、図１２のように、横並びの一対のダボ１４，１４の内の片側のダボ１４を軸として回転させることにより、取り外せるようになっている。
【００２３】
また、図４に示すように、洗い場３側の面に浅型バスケット１２を配置し、浴槽４側の面に深型バスケット１３を配置したような場合には、深型バスケット１３内には、浴槽４に浸かってくつろぐ時に使用する物、例えばペットボトルとか本とか乾いたタオル等を良好に収納させておくことができ、また、洗い場３側の浅型バスケット１２には、洗い場側で身体を洗う時に使用するような物を収納させておくことができる。
また、ダボ１４には、前述した如くボディブラシ等を掛止して、良好に収納させておくことができ、パーティション板１１の表側の面と裏側の面でそれぞれ効率良く種々の物品を収納させることができて、空間を有効に利用することができるものとなる。
【符号の説明】
【００２４】
１  浴室
２ａ，２ｂ  壁パネル
３  洗い場
４  浴槽
４ａ  エプロン
５  鏡
６  縦ポール
７ａ，７ｂ，７ｃ  支持ポール
８ａ，８ｂ，８ｃ  固定部
９  レール
１０  金具
１１  パーティション板
１２  浅型バスケット（物品収納具）
１２ａ，１３ａ  上枠フレーム
１２ｂ，１３ｂ  下枠フレーム
１２ｃ  底板
１２ｄ，１３ｄ  樹脂玉
１３  深型バスケット（物品収納具）
１４  ダボ
１４ａ  凹溝
１６  棚籠
１７  水栓
１８  配管ボックス
１９  水切り籠
２０  足元照明
１２１，１３１  引掛け片
【図１】
2012157594.tif 000003
【図２】
2012157594.tif 000004
【図３】
2012157594.tif 000005
【図４】
2012157594.tif 000006
【図５】
2012157594.tif 000007
【図６】
2012157594.tif 000008
【図７】
2012157594.tif 000009
【図８】
2012157594.tif 000010
【図９】
2012157594.tif 000011
【図１０】
2012157594.tif 000012
【図１１】
2012157594.tif 000013
【図１２】
2012157594.tif 000014